【事件の表示】
　商願２００７−１２９５３０拒絶査定不服審判事件について、次のとおり審決する。
【結　論】
　本件審判の請求は、成り立たない。
【理　由】
１　本願商標  
　本願商標は、「ＤｉｅｔＳｕｐｐｏｒｔ」の欧文字をブロック体により横書きしてなり、第２９類、第３０類及び第３２類に属する願書記載のとおりの商品を指定商品として、平成１９年１２月３１日に登録出願されたものである。そして、願書記載の指定商品については、原審において、同２０年８月２０日付け提出の手続補正書により、第２９類及び第３０類に属する別掲のとおりの商品に補正されたものである。 
 　  
２　原査定の拒絶の理由（要点）  
　原査定は、「本願商標は、昨今すでに使用されている『ダイエットサポート飲料』等からして、『ダイエットを支援する』等の意味を直観する『ＤｉｅｔＳｕｐｐｏｒｔ』の文字を、普通に用いられる方法で書してなるものであるから、これを本願指定商品中、前記商品に使用するときは、単に商品の品質を表示するにすぎないものと認める。したがって、本願商標は、商標法第３条第１項第３号に該当する。」旨認定、判断し、本願を拒絶したものである。  
 　  
３　当審の判断  
　本願商標は、前記１のとおり、「ＤｉｅｔＳｕｐｐｏｒｔ」の欧文字をブロック体により横書きしてなるところ、その構成中「Ｄｉｅｔ」の文字は、「ダイエット　(やせるために)食事の量・質に制限を加えること」の意味を有し、また、「Ｓｕｐｐｏｒｔ」の文字は、「サポート　支持、後援、支えること」（いずれも「コンサイスカタカナ語辞典　第３版」株式会社三省堂発行）等の意味を有し、各文字共によく知られた英単語であることから、本願商標は、「Ｄｉｅｔ」及び「Ｓｕｐｐｏｒｔ」の各単語からなる複合語と認識、把握され、全体として「ダイエットを支援する」程の意味合いを、容易に理解させるものである。  
　そして、本願の指定商品である、ダイエットを目的とする「ダイエット用の商品」を取り扱う業界においては、本願商標「ＤｉｅｔＳｕｐｐｏｒｔ」の欧文字をはじめ、該文字の片仮名表記と認められる「ダイエットサポート」の文字が、「ダイエットを支援する」程の意味合いもって、商品の品質等を表す文字として一般に使用されていることは、原審において提示した証拠に加えて、以下の新聞記事及びインターネットにおけるウェブサイトよる記載からも十分に裏付けられるものである。 
（１）「味の素、アミノバイタル新製品３種を発売、女性対象・美容系など」の見出しのもと、「味の素はアミノ酸系サプリメント『アミノバイタル』から、間食用などに向けた『いつもアミノ酸ゼリー』ドリンク３種を２月２５日発売する。いずれもカロリーゼロ。女性対象に日常生活でアミノ酸を補給してもらう製品群。筋肉疲労回復効果が期待できる分岐鎖アミノ酸（ＢＣＡＡ）やクエン酸、ビタミンＢ群を配合した活力を与える『元気なアミノ』。リジンとＢＣＡＡからなるダイエットサポート狙いの『燃焼アミノ』、コラーゲンの素のプロリンや食物繊維を配合した美容系の『素顔アミノ』の３種を販売する。」との記事（2008.01.31　化学工業日報　9頁　）。
（２）「【新商品】ダイエットサポート飲料『バランスシェイク』」の見出しのもと、「１日３食のうち、１食を同飲料に置きかえ、カロリーを管理することで、ダイエットをサポート。」との記事（2008.05.12　FujiSankei Business i.　13頁）。
（３）「大正製薬、ダイエット支援飲料発売」の見出しのもと、「大正製薬はダイエットサポートドリンク『燃焼一本ＫＯＫＯＺＯ［ココゾ］』を同社通販で１５日発売したと発表した。イソフラボン、サポニンを含み脂質代謝促進作用のあるとされる葛の花、カルニチン（アミノ酸の一種）などを配合し、体内吸収性も高いという。」との記事（2008.07.17　化学工業日報　9頁）。
（４）「【新商品】お茶の花抽出エキス含有のダイエットサポート食品「茶花美人」」の見出しのもと、「お茶の花から抽出したエキス粉末を使用したタブレット。食事の脂肪が気になる人のダイエットをサポートする。」との記事（2008.09.30　FujiSankei Business i.　12頁）。
（５）「【新商品】ダイエットサポートサプリメント」の見出しのもと、「■ピルボックス　ジャパン　『イートレスキュー』は食べたカロリーを抑え、脂肪燃焼をサポート。」との記事（2008.10.09　FujiSankei Business i.　20頁）。
（６）「緑茶特集：関西お茶企業動向＝つぼ市製茶本舗『黒烏龍茶ティーパック』など２品発売」の見出しのもと、「当主として4代目の会長の谷本陽蔵氏はお茶博士として有名で、中国茶のわが国の研究第一人者でもあるが、氏監修の『黒烏龍茶ティーパック』（5g×40p、1ケース16入り。標準小売税抜き600円）をこのほど商品化した。黒烏龍茶はポリフェノールが多く含まれ、ダイエットサポート飲料として注目を集めているが、お茶としてのおいしさも追求した商品。」との記事（2008.12.19　日本食糧新聞）。
（７）「アサヒフードアンドヘルスケア株式会社」のウェブサイトにおいて、「ダイエットサポート食品」の項目のもと、「スリムアップエイド　『簡単』『おいしい』『飽きない』『安心』の4つの魅力で、手軽にダイエットライフをサポートする栄養バランス＆カロリーコントロール食品」との記載（http://www.asahi-fh.com/hc/products/dietsupport.html）。
（８）「健康美容EXPO」のウェブサイトにおいて、「グミタイプのダイエットサポート食品のOEM供給をスタート」の項目のもと、「（株）ラティアクリエイツ（東京都渋谷区、鈴木 敏正社長）は2009年1月上旬よりグミタイプのダイエットサポート食品「＆Ratia beauty plus diet」(36g×14袋/箱　5,880円)の販売および機能性グミのOEM受託をスタートする。同製品は、各種栄養成分をグミタイプの食品に配合した手軽に摂取できるサプリメント。昨今のトレンドである食品に近い形状で、味にもこだわり、間食やおやつ代わりにおいしく食べながら、ダイエットをサポートする。」との記載（http://www.e-expo.net/news/2008/12/oem_4.html）。
 （９）「株式会社ＤＨＣ」のウェブサイトにおいて、「DHCダイエットサポートミール・スープ」の項目のもと、「満足　おいしい！具だくさんでボリュームたっぷり」、「満足　１食１６４ｋａｃｌ以下！（略）たんぱく質、ビタミンも摂れて健康的にダイエット」、「満足　飽きずに続けられる豊富なメニュー１３種」、「満足　１食５８０円の低価格だから安心、続けやすい」及び「満足　作り方は簡単！あたためる・お湯を注ぐだけ」との記載（http://top.dhc.co.jp/shop/health/diet_meal/index.html）。 
（10）「ユニチカ株式会社」のウェブサイトにおいて、「DIET　SUPPORT　Arabinist　アラビニスト」の項目のもと、「食事と一緒に飲む、ダイエットの新習慣。“カラダにやさしく、楽しく、長続きできる”これからのダイエットサポート食品『アラビニスト』です。」及び「『アラビニスト』は、ダイエットに悩む人をサポートしたい、そんな想いから生まれたダイエットサポート食品です。」との記載（http://www.unitika.co.jp/arabinist/）。
（11）「ダイエット通販Ｍｙメディカル」のウェブサイトにおいて、「Diet support（ダイエットサポート）飲料・お茶」の項目のもと、ダイエット用商品が紹介されている（http://www.prorsum-exclusive.net/product-list/53）。
（12）「ワールドサプリ．ＪＰ」のウェブサイトにおいて、サプリメントの商品名として「ダイエットサポート(Diet Support) Now Foods 120 カプセル」との記載（http://www.worldsuppli.jp/2436.html）。
（13）「ｄｉｎｏｓ」のウェブサイトにおいて、「ＤＩＥＴ　ＳＵＰＰＯＲＴ　ＷＡＴＥＲ」の項目のもと、「天然のミネラルバランスで、優しくダイエット時の栄養補給をサポート。これはもう、飲む、天然サプリメントです。」との記載（http://www.dinos.co.jp/dietwater/index.html）。
（14）「株式会社ポーラ」のウェブサイトにおいて、「『POLA　DEEP　SEA　WATER　diet　support』４月1日から全国で新発売」の項目のもと、「ダイエットやスポーツ時のミネラル補給に、日常的にミネラル豊富な水を続けて飲んでいただくことで『からだの内側から美しくなる』ことをサポートしていきます。 」との記載（http://www.pola.co.jp/company/home/back/2008/20r015.pdf）。 
（15）「ｐｈｉｔｅｎ」のウェブサイトにおいて、「ダイエットの強い味方！ファイテン　ダイエットサポートクッキー」の項目のもと、「ＰＨＩＴＥＮ　ＤＩＥＴ　ＳＵＰＰＯＲＴ　ＣＯＯＫＩＥ　●ダイエットのサポートに！」及び「３つの成分でカロリーコントロールをサポート！ダイエットをサポートする２つの成分（L-カルニチン、サラシア）がカラダの余分なカロリーにアプローチ！さらに発芽玄米にはＧＡＢＡ、ビタミンミネラル、食物繊維などが豊富に含まれダイエット中の不足しがちな栄養分を補給。」との記載（http://www.phild-life.jp/shopdetail/006000000020/）。
　してみれば、本願商標を、その指定商品に使用しても、これに接する取引者、需要者に、前記使用例のように、例えば、痩せやすいように脂肪の燃焼を助ける、必要な栄養補給を行なう、ダイエットが楽に長続きする等といった、いわば「ダイエットを支援する」程の意味合いを理解させ、単に商品の品質、効能を普通に用いられる方法で表示する標章のみからなる商標にすぎないものであるから、自他商品の識別標識としての機能を有する商標とは認識し得ないと判断するのが相当である。  
　なお、請求人は、「本願商標は、通常使用されている片仮名文字ではなく、アルファベットを用いていること、かつ、『Ｄｉｅｔ』及び『Ｓｕｐｐｏｒｔ』の各文字の語頭を大文字で表していることから、普通に表示されているとはいえない。」旨、主張している。
　しかしながら、「普通に用いられる方法で表示する」とは、特殊な態様で表されていないという意味であり、書体や全体の構成等が特殊な態様のものはこれに該当しないと解される。
　これを本願についてみると、本願商標は、前記１のとおり、「ＤｉｅｔＳｕｐｐｏｒｔ」の欧文字をブロック体により横書きしてなるところ、その書体及び文字を横書きで表すことは、広く一般に用いられており、また、複合語において各単語の語頭を大文字で表すことも、原審において提示した証拠のほかにも、前記(12)のように、一般に用いられているものであり、さらに、全体の構成等も特殊な態様であるとはいえず、ごく一般的な態様からなるといい得るものであるから、本願商標は、商品の品質等を普通に用いられる方法で表示してなるというべきである。
　そうすると、請求人主張の如く、本願商標がわずかな使用である欧文字により表されていることや、単語の語頭が大文字であることをもって、本願商標が普通に用いられる方法で表示されてはいないということはできない。
　また、請求人は、「本願商標から、『ダイエットサポート』と称呼し、『ダイエットを支援』との観念は生じるものの、それ以外の称呼、観念も生ずるため、原査定で提示された『Ｄｉｅｔ　Ｓｕｐｐｏｒｔ』の使用例とは、外観、称呼、観念において非類似であるから、本願商標は単に商品の品質を表示するものではない。」旨、主張している。
　しかしながら、請求人も自認しているとおり、本願商標は、「ダイエットを支援（する）」程の意味合いを理解させ、商品の品質等を普通に用いられる方法で表示する標章のみからなる商標にすぎないものであるから、請求人が主張する、本願商標と、原審で提示した証拠に記載された「Ｄｉｅｔ　Ｓｕｐｐｏｒｔ」の文字との類否判断により、前記認定は左右されないというべきである。
　そうとすれば、請求人のいずれの主張も採用することはできない。　
　したがって、本願商標が商標法第３条第１項第３号に該当するとして、本願を拒絶した原査定は、妥当であって、取り消すことはできない。  
 　よって、結論のとおり審決する。